(57)【要約】  解体された状態で出荷することができる規格化耐食屋根用囲い枠組。設置担当者は、溶接せずに、任意の屋根において適切な屋根勾配を提供するように、囲い枠組を組立て、大きさを合わせ、配置し且つ構成することができる。屋根用囲い枠組は、パネルと、パネルを受入れるように構成された押出し成形部分とを含む。パネルは、屋根の勾配に従ってトリミングされる。屋根用囲い枠組を製造する方法及び設置する方法も開示される。
2008513640.tif 000002
【特許請求の範囲】
【請求項１】
パネルと、
前記パネルを受入れるように構成された押出し成形部分とを具備し、
前記パネルを、屋根の勾配に従ってトリミング自在とした屋根用囲い枠組。
【請求項２】
前記押出し成形部分は、アルミニウムから構成される請求項１記載の屋根用囲い枠組。
【請求項３】
前記押出し成形部分は、屋根に沿って間断なく接触するように構成される請求項１記載の屋根用囲い枠組。
【請求項４】
前記押出し成形部分は、屋根のリブに沿って間断なく接触するように構成される請求項３記載の屋根用囲い枠組。
【請求項５】
第２の押出し成形部分と、
前記押出し成形部分と前記第２の押出し成形部分とを互いに結合する結合ブロックとを更に具備する請求項１記載の屋根用囲い枠組。
【請求項６】
前記押出し成形部分を支持するために建造物に装着されるように構成される溝形材を更に具備する請求項１記載の屋根用囲い枠組。
【請求項７】
前記押出し成形部分と結合自在である第２の押出し成形部分と、
前記第２の押出し成形部分を支持するために前記溝形材に装着されるように構成された第２の溝形材とを更に具備する請求項６記載の屋根用囲い枠組。
【請求項８】
前記押出し成形部分に装着されるように構成されたそらせアングル材を更に具備する請求項１記載の屋根用囲い枠組。
【請求項９】
前記押出し成形部分を支持するために建造物に装着されるように構成された溝形材と、
前記そらせアングル材を支持するために前記溝形材に装着されるように構成されたそらせ板とを更に具備する請求項８記載の屋根用囲い枠組。
【請求項１０】
屋根用囲い枠組を製造する方法であって、
押出し成形部分を含む屋根用囲い枠組キットを提供することと、
囲い枠組サイズを判定することと、
前記判定に従って、前記押出し成形部分を切断することとを有する方法。
【請求項１１】
前記押出し成形部分は、屋根のリブに対応するように構成され、
前記方法は、前記屋根のリブに沿って間断なく接触するように、屋根のリブに対する前記押出し成形部分の向きを確認することを更に含み、
前記切断することは、前記確認することに対応する請求項１０記載の方法。
【請求項１２】
前記切断することにより、所定サイズの押出し成形部分が形成され、
前記屋根用囲い枠組キットは、結合ブロックを含み、
前記方法は、
前記判定に従って、第２の押出し成形部分を切断し、第２の所定サイズの押出し成形部分を規定することと、
前記所定サイズの押出し成形部分及び前記第２の所定サイズの押出し成形部分を前記結合ブロックによって互いに結合することとを更に含む請求項１０記載の方法。
【請求項１３】
前記互いに結合する工程に先立って、前記結合ブロックの領域に対応して、前記所定サイズの押出し成形部分及び前記第２の所定サイズの押出し成形部分のうち少なくとも一方に複数の穴をあけることを更に含む請求項１２記載の方法。
【請求項１４】
前記互いに結合する工程に先立って、前記結合ブロック及び前記所定サイズの押出し成形部分又は前記第２の所定サイズの押出し成形部分のうち一方又は双方にシーリング材を塗布することを更に含む請求項１２記載の方法。
【請求項１５】
前記キットは、パネルを含み、前記パネルを前記押出し成形部分に装着することを更に含む請求項１０記載の方法。
【請求項１６】
屋根の勾配に従って、前記パネルをトリミングすることを更に含む請求項１５記載の方法。
【請求項１７】
屋根用囲い枠組を設置する方法であって、
屋根用囲い枠組基礎を屋根に取付けることと、
屋根の勾配に従ってパネルをトリミングすることと、
前記パネルを前記屋根用囲い枠組に装着することとを有する方法。
【請求項１８】
前記取付ける工程に先立って、前記屋根用囲い枠組基礎及びそらせ板に従って前記屋根を切断することを更に含む請求項１７記載の方法。
【請求項１９】
前記切断する工程と前記取付ける工程との間で、前記そらせ板を設置することを更に含む請求項１８記載の方法。
【請求項２０】
前記屋根用囲い枠組基礎及び前記そらせ板にそらせアングル材を装着することを更に含む請求項１９記載の方法。
【発明の詳細な説明】
【技術分野】
【０００１】
本発明は、組み立て式屋根用囲い枠組に関する。
【背景技術】
【０００２】
金属屋根ふき材料を有する金属製の建造物は、商用、工業用及び倉庫用として一般的になっている。そのような建造物は、多くの場合、天窓、換気扇、空調装置などを受入れるための屋根開口部を必要とする。そのような機器を設置するためには、機器を支持する屋根用囲い枠組が必要である。
【０００３】
従来、屋根用囲い枠組は、特定の屋根の形状及び勾配を考慮して、特定の屋根上設置用器具を取付けるための相対的に水平な装着構造を形成するように、特別に設計され且つ注文生産されていた。そのような従来の屋根用囲い枠組は、多くの場合、特定の屋根の勾配に独自に対応するように、１枚の金属片から製造される。そのため、従来の屋根用囲い枠組の設計及び建造は、屋根用囲い枠組の製造業者及び屋根上設置用器具の設置業者にとって、長い時間を要する骨の折れる作業であった。更に、従来の屋根用囲い枠組は、金属屋根システムに設置されるため、実際の開口部は、屋根板の波形起伏、継ぎ目又はリブに関して様々に異なり、設置の直前になって初めてそれらの形状を確認できる。そのように、従来行われていたタイミングの悪い設計・建造の方法が、器具の設置を遅らせてしまう。
【０００４】
設置の遅れを限度内に収めるのを助長するため、製造業者は、規格化された屋根用囲い枠組を開発した。例えば、１９８５年１２月２４日にRalph H. Brueskeに対し発行された米国特許第４，５５９，７５３号公報「Method of Installing a Prefabricated Curb Unit to a Standing Seam Roof」を参照。この特許は、金属製屋根用囲い枠組を設置する方法を説明しており、囲い枠組の縁部は、あらかじめ屋根板に溶接され、囲い枠組を含むパネルは、屋根にあけられた大きな開口部に装着される。しかし、この方法においては、機器設置用の開口部より大きな穴を屋根にあけなければならないので、漏れを生じやすい。
【０００５】
プレハブ屋根用囲い枠組は、非常に大型になる傾向にあるため、従来の宅配方式により、費用効率よく、適切な時点で出荷することは困難であった。そのため、屋根用囲い枠組の製造業者は、トラックで製品を出荷せざるを得なかったが、それは、宅配輸送より時間がかかり、コストも高い方法であった。
【０００６】
従来の屋根用囲い枠組は、四隅で工場溶接により接合された開いた矩形のフレームを規定するように位置決めされた４枚の被覆済み鋼製囲い枠組壁を含む。溶接によって、鋼の耐食被覆膜が焼き切られるので、屋根の上に設置されたときに、屋根用囲い枠組が錆びるのを防止するために、製造業者又は設置担当者は、再度、防錆塗料で鋼を被覆しなければならない。製品の耐用年数を通じて屋根用囲い枠組を保護するために、定期的に防錆塗料を塗布することが必要である。溶接なしで、例えば、ねじ付きファスナなどの機械的取付け用具によって、四隅を固着してもよい。しかし、従来の屋根用囲い枠組パネルを現場で所定の大きさに切断し且つドリルで穴をあけると、パネルを腐食する風化作用にさらされる場所が形成されることになる。
【０００７】
必要とされているのは、解体された状態で出荷でき、設置担当者が、溶接を行わずに任意の屋根において適切な屋根勾配を提供するように組立て、所定の大きさに合わせ、配置し且つ構成することができるような規格化された耐食屋根用囲い枠組である。
【０００８】
発明の概要
本発明は、解体された状態で出荷でき、設置担当者が、溶接を行わずに任意の屋根において適切な屋根勾配を提供するように組立て、所定の大きさに合わせ、配置し且つ構成することができるような規格化された耐食屋根用囲い枠組である。
【０００９】
本発明は、安価であり、信頼性が高く且つ本発明の所期の目的を達成する上で有効である上述の目的のための改良された要素及びその配列を提供する。
【００１０】
本発明の原理に従って構成された一実施形態は、パネルと、パネルを受入れるように構成された押出し成形部分とを含み、前記パネルは、屋根の勾配に従ってトリミングされる。
【００１１】
本発明のその他の特徴及び利点は、添付の図面を参照する以下の好適な実施形態の説明から明らかになるであろう。
【発明を実施するための最良の形態】
【００１２】
添付の図面を参照して、以下に本発明に係る実施の形態を詳細に説明する。図中、同一の図中符号は、一貫して対応する特徴を示す。
【００１３】
図１〜図３を参照すると、本発明に従って構成された屋根用囲い枠組１００の一実施形態は、４つの結合ブロック１１０によって互いに結合された４つの壁１０５を含み、それらの壁１０５は、屋根Ｒに装着するための屋根用囲い枠組基礎１１２を規定する。壁１０５には、４枚の複合ボード１１５が装着され、それらの複合ボードは、器具（図示せず）を支持する。
【００１４】
実際には、壁１０５は、従来通りの宅配又は夜間宅配のために、本明細書において説明される他の構成要素と共に標準的な輸送コンテナの中に容易に梱包できるように、複数の規格長さに切断されている。アルミニウム押出し成形材料により、鋼材料の場合に通常必要とされるような耐食被覆膜を局所で焼切ることなく、現場で標準材料片を所定の大きさに形成できる。更に、アルミニウム材料を使用することにより、鋼材料を保護するために必要であると考えられる通例の防錆塗料被覆膜も不要になる。
【００１５】
更に図４を参照すると、各壁１０５は、下部フランジ１２０及び上部溝形材１２５を有する押出し成形アルミニウムから製造される。ファスナ及び他の装着用機構の露出を制限し且つ各要素に対する密封を行うために、各フランジ１２０は内側に配置される。各フランジ１２０は、フランジ１２０の接触面全体に沿って、屋根Ｒとの平坦な接触を助けるための面取り端部１３０を有する。
【００１６】
各溝形材１２５は、複合ボード１１５を受入れ且つ保持するように構成される。溝形材１２５は、望ましくない昆虫及び害虫を引寄せるおそれがある水平突起物又は部分囲いを形成せずに、壁１０５と関連して、ほぼ一様な垂直壁１２７を規定するように内側に配置される。
【００１７】
フランジ１２０、垂直壁１２７及び溝形材１２５は、以下に説明するように、断熱材を受入れるためのポケット１２８を規定する。
【００１８】
側壁１０５ａは、屋根Ｒとの間に連続する防水シールを形成する縁部１０７ａを有する。上部壁及び底部壁１０５ｂは、屋根Ｒから延出する継ぎ目又はリブＦと整列し、それらに対応する切欠き１０９を有する。これにより、同様に屋根Ｒとの間に連続する防水シールを形成する縁部１０７ｂが規定される。
【００１９】
図３を参照すると、各結合ブロック１１０は、アルミニウムから製造され、所定の複数の場所に、あらかじめあけられた貫通孔１１４を有する。実際、屋根用囲い枠組の設置業者は、図８に示されるように、型板に従って壁１０５の端部に貫通孔１１４と整列する穴を形成する。
【００２０】
複合ボード１１５は、再生木材とプラスチックとの組合わせから製造されるTrex（登録商標）ボードである。プラスチック要素は、木材要素を湿気及び昆虫による害から遮蔽することにより、腐敗又は割れを減少又は排除する。木材要素は、プラスチック要素を通常の日光からの紫外線照射による損傷から保護し、単なるプラスチック又は単なる木材から製造された製品において予想されるより長い期間にわたり製品の一体性を確保する。
【００２１】
図２に示されるように、屋根用囲い枠組１００の独自の特徴は、上部支持溝形材１３５である。上部支持溝形材１３５は、図６に示されるように、屋根用囲い枠組１００及び屋根用囲い枠組２００に共通する底部支持溝形材１４０に類似している。上部支持溝形材１３５及び底部支持溝形材１４０は、それぞれ、ほぼ垂直のリブ１３６及び１４１を有する。リブ１３６、１４１は、上部支持溝形材１３５及び底部支持溝形材１４０を補強し、それらの荷重支持能力を向上する。
【００２２】
上部支持溝形材１３５は、フランジ１３７を有し、底部支持溝形材１４０は、屋根Ｒを支持する構造部材Ｓの上に装着されるフランジ１４３を有する。設置されたとき、上部支持溝形材１３５及び底部支持溝形材１４０は、それぞれ、壁１０５ｂを支持し、支持部材Ｓは、その他の壁１０５ａを支持する。
【００２３】
図５及び図６を参照すると、本発明に従って構成された屋根用囲い枠組２００の別の実施形態は、屋根Ｒ及び屋根用囲い枠組２００の上部の横方向に延出する交差部分に沿って溜まる可能性がある水を逃がす機能を有する。屋根用囲い枠組２００の水を逃がす機能は、大量の水を溜め込みやすいと思われる大型の設備を使用目的としている。屋根用囲い枠組２００は、４つの結合ブロック２１０によって互いに結合された４枚の壁２０５を含む。それらの壁２０５は、結合されることにより、屋根Ｒ上に装着される屋根用囲い枠組基礎２１２を規定する。４枚の複合ボード２１５は、壁２０５に装着され、器具（図示せず）を支持する。屋根用囲い枠組２００は、以下に説明する部分を除いて、屋根用囲い枠組１００と同様である。
【００２４】
図５及び図６に示されるように、屋根用囲い枠組２００に独自の特徴は、そらせ板２３５及びそらせアングル材２４５である。そらせ板２３５は、屋根ＲのリブＦが屋根用囲い枠組２００に対してそらせアングル材２４５を屋根Ｒ上に同じ高さで装着するのを妨げないように除去された屋根Ｒの一部分を被覆する。上部支持溝形材１３５と同様に、そらせ板２３５は、壁２０５及びそらせアングル材２４５を支持するための補強リブ２３６を有する。
【００２５】
そらせアングル材２４５は、不浸透性の２面アングル材２４９を規定する直立フランジ２４７を有する。アングル材２４９は、フランジ２４７が、上方に配置された壁２０５に沿って、時間の経過に伴って局所的な腐食又はシーリング材の損傷を引き起こすおそれのある水を溜め込むのではなく、屋根用囲い枠組２００の周囲に沿って水を流すための流路を形成するように構成される。そらせアングル材２４５は、そらせ板２３５に密封結合される。動作中、屋根Ｒから屋根用囲い枠組２００に向かって流れ落ちる水は、フランジ２４７に当たり、フランジ２４７に沿って流れ、その後屋根用囲い枠組２００の側方に位置する屋根Ｒの部分に到達することにより、屋根用囲い枠組２００を迂回し、続けて屋根Ｒを流れ落ちる。
【００２６】
図７を参照すると、本発明に従って構成される屋根用囲い枠組１００を製造する方法３００の一実施形態は、囲い枠組サイズを判定する工程３０５と、押出し成形部分を切断する工程３１０と、底部押出し成形部分を切断する工程３１５と、鋼製溝形材を切断する工程３２０と、角結合部分に穴をあける工程３２５と、角ブロックにマスチックを塗布する工程３３０と、押出し成形部分の角部を組み立てる工程３３５と、複合ボードの寸法を判定する工程３４０と、複合ボードを切断する工程３４５とを含む。
【００２７】
更に図８を併せて参照すると、工程３０５は、図１に示されるように、壁１０５ａの囲い枠組長さを確認し、図２に示されるように、壁１０５ｂ、上部支持溝形材１３５及び底部支持溝形材１４０の囲い枠組幅を確認するために、囲い枠組サイズを判定することを含む。
【００２８】
工程３１０は、工程３０５の囲い枠組長さに従って側部の押出し成形部分又は壁１０５ａを切断することを含む。屋根用囲い枠組の組立て担当者は、アルミニウムを切断するために、超硬切削歯ブレードを有する１２インチ複式スライドマイター鋸を使用するのが好ましい。壁１０５に沿って境界面を留め継ぎすることにより、相対的な平坦さ並びに屋根Ｒに関する平坦さは助長される。
【００２９】
工程３１５は、工程３０５の囲い枠組幅に従って上部及び底部の押出し成形部分又は壁１０５ｂを切断することを含む。工程３１５は、屋根用囲い枠組の組立て担当者が屋根Ｒの継ぎ目又は波形起伏に対応するように壁１０５ｂを切断しなければならないという点で、工程３１０とは異なっている。
【００３０】
工程３２０は、工程３０５の囲い枠組幅に従って上部支持溝形材１３５及び底部支持溝形材１４０を切断することを含む。屋根用囲い枠組の組立て担当者は、研削切断刃を有するアングルグラインダーを使用するのが好ましい。上部支持溝形材１３５及び底部支持溝形材１４０に、屋根支持構造に対応するための切欠きを形成しなければならない場合もある。
【００３１】
工程３２５は、壁１０５に対して型板を位置合わせし、結合ブロック１１０の貫通孔１１２と整列するように、パイロット穴を壁１０５にあけることを含む。屋根用囲い枠組の組立て担当者は、型板及び壁１０５の相対位置を係止用Ｃクランプによって一時的に維持する。屋根用囲い枠組の組立て担当者は、各壁１０５の各端部に、直径５／１６インチの穴を２つあける。
【００３２】
工程３３０は、各角ブロック１１０の上部、底部及び角部に、ガングレードシーラント、好ましくはPanlasticの直径５／１６インチのビードをかしめガンによって塗布することを含む。これにより、他の屋根用囲い枠組に共通する設置後のシーラント処理に比べて優れている一体の防水シールが、屋根用囲い枠組１００及び２００に形成される。
【００３３】
工程３３５は、壁１０５及び角結合ブロック１１０の穴を通して、１／４インチ×１／２インチのプラスボルトを打ち込むことを含む。ボルトを締付けることにより、壁１０５と角結合ブロック１１０とは互いに押付けられ、工程３３０において角結合ブロック１１０に塗布されたマスチックは、あらゆる間隙に流入し、それにより、接合部を密封する。
【００３４】
工程３４０は、複合ボード１１５が器具（図示せず）に対してほぼ平坦な取付け領域を形成するように、屋根Ｒの傾き又は勾配と、その勾配に対応する図８に示される「Ｘ」寸法の適切な測定値とを判定することを含む。「Ｙ」寸法は、好ましくは１１／２インチに固定されている。切断するための材料であるTrex（登録商標）ボード１１５は、５／４インチ×６インチであるのが好ましい。
【００３５】
工程３４５は、溝形材１２５に隙間なく嵌合するように、必要に応じて材料であるTrex（登録商標）ボード１１５を切断するために、木材切断用超硬刃を具備する円形のテーブル鋸又はラジアルアーム鋸盤を使用することを含む。
【００３６】
図９を参照すると、本発明に従って構成される屋根用囲い枠組２００を製造する方法５００の一実施形態は、囲い枠組サイズを判定する工程５０５と、押出し成形部分を切断する工程５１０と、底部押出し成形部分を切断する工程５１５と、鋼製溝形材を切断する工程５２０と、そらせ板を切断する工程５２３と、角結合部分に穴をあける工程５２５と、角ブロックにマスチックを塗布する工程５３０と、押出し成形部分の角部を組立てる工程５３５と、複合ボードの寸法を判定する工程５４０と、複合ボードを切断する工程５４５とを含む。
【００３７】
更に図１０を併せて参照すると、製造する方法５００は、工程５２３が追加されている点を除いて、製造する方法３００とほぼ同一である。工程５２３は、工程３０５と同様である工程５０５において判定された囲い枠組幅に従って、そらせ板２３５を切断することを含む。屋根用囲い枠組の組立て担当者は、屋根Ｒの継ぎ目、波形起伏又はリブＦに対応するように、そらせ板２３５を切断しなければならない。特に、そらせ板２３５の穴は、リブＦと整列しなければならない。
【００３８】
図１１を参照すると、本発明に従って構成された屋根用囲い枠組１００を設置する方法４００の一実施形態は、切取りのために屋根に印を付ける工程４０５と、支えのための足場を配置する工程４１０と、パネルを切断する工程４１５と、側部支持溝形材を設置する工程４２０と、後部支持溝形材を設置する工程４２５と、囲い枠組に合わせてマスチックを塗布する工程４３０と、囲い枠組基礎を設置する工程４３５と、所定領域を清浄にする工程と４４０と、シーリング材を塗布する工程４４５と、マスチックを塗布する工程４５０と、複合ボードを設置する工程４５５と、発泡材テープ及びシーリング材をボードの接合部に塗布する工程４６０と、断熱材を切取る工程４６５と、保持部材を設置する工程４７０とを含む。
【００３９】
更に図１２を併せて参照すると、工程４０５は、前述のように組立てられた屋根用囲い枠組１００を、器具の設置が望まれる屋根Ｒの部分に配置することを含む。底部壁１０５ｂは、支持構造棟木と垂直方向に整列すべきである。上部壁１０５ｂと上部支持構造棟木との間に、少なくとも６インチの距離がなければならない。そこで、屋根用囲い枠組の設置担当者は、屋根用囲い枠組１００のフランジ１２０の内側に沿って、規格品の鉛筆又は油性筆記用具によって線を引く。
【００４０】
工程４１０は、工程４０５において引かれた線のすぐ外側であって屋根用囲い枠組の設置担当者が屋根Ｒ２を切断する箇所に近接する場所に、屋根Ｒの上で屋根用囲い枠組の設置担当者の体重を支えるのに十分な強度を有する板又はパネル材を配置することを含む。
【００４１】
工程４１５は、工程４０５において屋根Ｒに引かれた線に沿って屋根Ｒを切取るために、削りくず及び切りくずを最小限に抑える複目せん断機を使用して、線で囲まれた箇所の各角部に１／２インチの作業開始穴をあけることを含む。屋根用囲い枠組の設置担当者は、屋根Ｒの波形起伏を切断するために、往復動鋸を必要とする。
【００４２】
工程４２０は、側部支持溝形材を所定の大きさに形成し、断熱材の上部及び工程４１５において屋根Ｒにあけられた穴の側縁部のすぐ外側であって上部支持構造棟木と下部支持構造棟木との間の所定の場所に、側部支持溝形材を一時的にクランプすることを含む。
【００４３】
工程４２５は、底部支持溝形材を所定の大きさに形成し、工程４１５において屋根Ｒにあけられた穴の底縁部のすぐ外側であって工程４２０において設置された側部支持溝形材の間の所定の場所に、底部支持溝形材を一時的にクランプすることを含む。
【００４４】
工程４３０は、工程４１５において屋根Ｒにあけられた穴の底縁部に沿って形成されている底部波形起伏に、抱え継ぎプラグを挿入することを含む。設置が完了したならば、抱え継ぎプラグは、マスチックで充填されてもよい。屋根用囲い枠組の設置担当者は、屋根Ｒの穴を規定している縁部の周囲に、それらと整列するように、抱え継ぎプラグを覆う１／８インチ×１／２インチのPanlasticテープを貼付する。テープは、角部で突き合わせ接合されなければならず、重なり合ってはならない。最後に、屋根用囲い枠組の設置担当者は、テープの上面にシーリング材の連続ビードを塗布する。
【００４５】
工程４３５は、屋根用囲い枠組１００を先に屋根Ｒにあけられた穴の上に位置決めし、自己穴あけ１／４インチ×７／８インチ金属ねじによって、屋根用囲い枠組１００のフランジ１２０を６インチ間隔で支持溝形材に固着する。
【００４６】
工程４４０は、全ての金属切りくず及び削りくずを吹き飛ばすか又は吸い取ることを含む。
【００４７】
工程４４５は、屋根Ｒと屋根用囲い枠組１００との交差部分の周囲にシーリング材の連続ビードを塗布することを含む。
【００４８】
工程４５０は、壁１０５の溝形材１２５の外側角部及び複合ボード１１５の突き合わせ端部にガングレードマスチックを塗布することを含む。
【００４９】
工程４５５は、自己穴あけ１／４インチ×７／８インチ金属ねじによって複合ボード１１５を壁１０５に装着し、自己穴あけ＃６×２インチねじによって複合ボード１１５を隣接する複合ボード１１５に装着することを含む。
【００５０】
工程４６０は、壁１０５と複合ボード１１５との接合部分に沿ってシーリング材を塗布することを含む。次に、屋根用囲い枠組の設置担当者は、複合ボード１１５の上面に発泡材テープを貼付する。
【００５１】
工程４６５は、建造物スクラップから断熱材の幅４インチのロールをトリミングすることを含む。屋根用囲い枠組の設置担当者は、図４に示されるように、溝形材１２５、垂直壁１２７及びフランジ１２０により規定される壁１０５のポケット１２８に断熱材を配置する。補助手段として接着剤を利用して、一時的に断熱材をポケット１２８内部に保持してもよい。次に、屋根用囲い枠組の設置担当者は、屋根用囲い枠組の各角部から内側に建物断熱材に切込みを入れ、外装から断熱材を除去する。屋根用囲い枠組の設置担当者は、屋根用囲い枠組１００の各内側の上へ外装を折りたたみ、保持部材及び自己穴あけねじによって折りたたみ部分を囲い枠組に固着する。次に、屋根用囲い枠組の設置担当者は、蒸気凝結遅延剤を完全に密封するために、各角部にテープを貼る。
【００５２】
図１３を参照すると、本発明に従って構成された屋根用囲い枠組２００を設置する方法６００の一実施形態は、切取りのために屋根に印を付ける工程６０５と、そらせ板に対応して屋根に印を付ける工程６０７と、パネルを切断する工程６１５と、側部支持溝形材を設置する工程６２０と、後部支持溝形材を設置する工程６２５と、そらせ板を準備する工程６２７と、そらせ板を設置する工程６２８と、囲い枠組に合わせてマスチックを塗布する工程６３０と、囲い枠組基礎を設置する工程６３５と、そらせアングル材を準備する工程６３７と、そらせアングル材を設置する工程６３８と、所定領域を清浄にする工程６４０と、シーリング材を塗布する工程６４５と、マスチックを塗布する工程６５０と、複合ボードを設置する工程６５５と、複合ボードの接合部に発泡材テープ及びシーリング材を塗布する工程６６０と、絶縁材を切取る工程６６５と、保持部材を設置する工程６７０とを含む。
【００５３】
更に図１４Ａ及び図１４Ｂを併せて参照すると、設置する方法６００は、工程６０７、６２７、６２８、６３７及び６３８を除いて、設置する方法４００とほぼ同一である。工程６０７は、工程４０５と同様である工程６０５において引かれた線の上縁部に隣接して、そらせ板２３５を配置し、そらせ板２３５の周囲に線を引くことを含む。
【００５４】
工程６２７は、屋根ＲのリブＦと整列された穴を覆うように、そらせ板２３５に波形プラグを装着することを含む。屋根用囲い枠組の設置担当者は、切取られたパネルの周囲に少なくとも１／４インチが露出されるように、テープの端部を重ねず、突き合わせるように注意しつつ、そらせ板２３５の側縁部及び外縁部にPanlasticテープを貼る。屋根用囲い枠組の設置担当者は、Panlasticテープの上にガングレードマスチックを塗布する。
【００５５】
工程６２８は、波形プラグが屋根Ｒの波形起伏に隙間なく嵌合するように、屋根Ｒの切取り部分にそらせ板２３５を配置することを含む。自己穴あけねじ付きファスナにより、そらせ板を屋根Ｒに固着する。パネル条片の底面にある穴の周囲に、マスチックを塗布しなければならない。
【００５６】
工程６３７は、そらせアングル材２４５の背面に５／１６インチのマスチックのビードを塗布すると共に、そらせアングル材２４５の底面に１／８インチ×３／２インチのPanlasticテープを貼付し、次に、そらせアングル材２４５を屋根Ｒ上の屋根用囲い枠組２００に対して位置決めすることを含む。
【００５７】
工程６３８は、自己穴あけねじ付きファスナによって、そらせアングル材２４５を屋根用囲い枠組２００及び屋根Ｒに固着することを含む。
【００５８】
本発明は、本明細書中で説明された特定の実施形態に限定されず、添付の請求の範囲にのみ限定される。
【図面の簡単な説明】
【００５９】
【図１】本発明の原理に従って構成された一実施形態を示す周囲斜視図である。
【図２】図１の実施形態を示す展開周囲斜視図である。
【図３】図１の実施形態の一部を示す周囲斜視図である。
【図４】図２の線ＩＶ‐ＩＶに沿った横断面詳細図である。
【図５】本発明の原理に従って構成された別の実施形態を示す周囲斜視図である。
【図６】図５の実施形態を示す展開周囲斜視図である。
【図７】図１の実施形態を製造する方法を示すフローチャートである。
【図８】図７の実施形態を示す概略図である。
【図９】図５の実施形態を製造する方法を示すフローチャートである。
【図１０】図９の実施形態を示す概略図である。
【図１１】図１の実施形態を設置する方法を示すフローチャートである。
【図１２】図１１の実施形態を示す概略図である。
【図１３】図５の実施形態を設置する方法を示すフローチャートである。
【図１４Ａ】図１３の実施形態を示す概略図である。
【図１４Ｂ】図１３の実施形態を示す概略図である。
【図１】
2008513640.tif 000003
【図２】
2008513640.tif 000004
【図３】
2008513640.tif 000005
【図４】
2008513640.tif 000006
【図５】
2008513640.tif 000007
【図６】
2008513640.tif 000008
【図７】
2008513640.tif 000009
【図８】
2008513640.tif 000010
【図９】
2008513640.tif 000011
【図１０】
2008513640.tif 000012
【図１１】
2008513640.tif 000013
【図１２】
2008513640.tif 000014
【図１３】
2008513640.tif 000015
【図１４Ａ】
2008513640.tif 000016
【図１４Ｂ】
2008513640.tif 000017
【国際調査報告】
2008513640.tif 000018